(57)【要約】【課題】ＳＮＳ等にアップされている番組処理を指定機器で利用可能にできる情報処理装置を提供することである。【解決手段】情報処理装置は、第１の登録手段、第１の番組案内手段、第２の登録手段、及び第２の番組案内手段を備える。第１の登録手段は、第１の機器から番組処理情報及び第１の識別情報を受信し、前記第１の識別情報に基づき前記番組処理情報を登録する。第１の番組案内手段は、前記第１の識別情報に対応付けられた情報提供先に対して、前記番組処理情報を示す番組処理案内情報を送信する。第２の登録手段は、第２の機器から前記番組処理案内情報に基づくアクセス要求及び第２の識別情報を受信し、前記第２の識別情報に対応付けられた第３の識別情報に基づき前記番組処理情報を登録する。第２の番組案内手段は、前記第３の識別情報に対応する第３の機器に対して、前記番組処理情報を送信する。【選択図】図１
2014150389.tif 000002
【特許請求の範囲】
【請求項１】
第１の機器から番組の処理に関する番組処理情報及び第１の識別情報を受信し、前記第１の識別情報に基づき前記番組処理情報を登録する第１の登録手段と、
前記第１の識別情報に対応付けられた情報提供先に対して、前記番組処理情報を示す番組処理案内情報を送信する第１の番組案内手段と、
第２の機器から前記番組処理案内情報に基づくアクセス要求及び第２の識別情報を受信し、前記第２の識別情報に対応付けられた第３の識別情報に基づき前記番組処理情報を登録する第２の登録手段と、
前記第３の識別情報に対応する第３の機器に対して、前記番組処理情報を送信する第２の番組案内手段と、
を備える情報処理装置。
【請求項２】
前記番組処理情報は、番組の予約記録に関する記録予約情報を含み、
前記番組処理案内情報は、前記記録予約情報を示す番組記録予約案内情報を含む請求項１の情報処理装置。
【請求項３】
前記記録予約情報は、番組を放送するチャンネルを示す情報及び番組の放送開始日時を示す情報を含む請求項２の情報処理装置。
【請求項４】
前記番組処理情報は、番組の再生区間に関する再生区間情報を含み、
前記番組処理案内情報は、前記再生区間情報を示す番組再生区間案内情報を含む請求項１乃至３の何れか一つの情報処理装置。
【請求項５】
前記アクセス要求及び前記第２の識別情報の受信に基づき、前記第２の機器に対して広告情報を送信する広告情報送信手段を備える請求項１乃至４の何れか一つの情報処理装置。
【請求項６】
前記広告情報送信手段は、前記第３の識別情報に基づき管理される前記広告情報を送信する請求項５の情報処理装置。
【請求項７】
前記広告情報送信手段は、前記番組処理情報により処理対象となる番組のジャンルに対応する前記広告情報を送信する請求項６の情報処理装置。
【請求項８】
第１の機器から番組の処理に関する番組処理情報及び第１の識別情報を受信し、前記第１の識別情報に基づき前記番組処理情報を登録し、
前記第１の識別情報に対応付けられた情報提供先に対して、前記番組処理情報を示す番組処理案内情報を送信し、
第２の機器から前記番組処理案内情報に基づくアクセス要求及び第２の識別情報を受信し、前記第２の識別情報に対応付けられた第３の識別情報に基づき前記番組処理情報を登録し、
前記第３の識別情報に対応する第３の機器に対して、前記番組処理情報を送信する情報処理方法。
【発明の詳細な説明】
【技術分野】
【０００１】
本発明の実施形態は、情報処理装置及び情報処理方法に関する。
【背景技術】
【０００２】
番組を記録することができるデジタルレコーダ及びデジタルＴＶに関する様々な提案がなされている。例えば、ＳＮＳ（Social Networking Service）を利用し、番組を推薦する技術が提案されている。
【先行技術文献】
【特許文献】
【０００３】
【特許文献１】特開２０１１−２５７８０４号公報
【特許文献２】特開２０１２−３９５６１号公報
【発明の概要】
【発明が解決しようとする課題】
【０００４】
ＳＮＳを利用し、ある番組が推薦されていることを知ったユーザは、その推薦番組を指定した機器で記録したい、又はその推薦番組を指定した機器で再生したいと考えることがある。簡単操作でこのような記録又は再生等の番組処理を実現する仕組みが要望されている。
【０００５】
本発明の目的は、ＳＮＳ等にアップされている番組処理を指定機器で利用可能にできる情報処理装置及び情報処理方法を提供することである。
【課題を解決するための手段】
【０００６】
実施形態に係る情報処理装置は、第１の登録手段、第１の番組案内手段、第２の登録手段、及び第２の番組案内手段を備える。前記第１の登録手段は、第１の機器から番組の処理に関する番組処理情報及び第１の識別情報を受信し、前記第１の識別情報に基づき前記番組処理情報を登録する。前記第１の番組案内手段は、前記第１の識別情報に対応付けられた情報提供先に対して、前記番組処理情報を示す番組処理案内情報を送信する。前記第２の登録手段は、第２の機器から前記番組処理案内情報に基づくアクセス要求及び第２の識別情報を受信し、前記第２の識別情報に対応付けられた第３の識別情報に基づき前記番組処理情報を登録する。前記第２の番組案内手段は、前記第３の識別情報に対応する前記第３の機器に対して、前記番組処理情報を送信する。
【図面の簡単な説明】
【０００７】
【図１】実施形態に係る情報処理システムの概略構成の一例を示す図である。
【図２】実施形態に係る情報処理システムによる番組処理の一例を示すフローチャートである。
【図３】実施形態に係る通信端末上で表示される画面の一例を示す図である。
【図４】実施形態に係る通信端末上で表示される画面の一例を示す図である。
【図５】実施形態に係る通信端末上で表示される画面の一例を示す図である。
【図６】実施形態に係る通信端末上で表示される画面の一例を示す図である。
【図７】実施形態に係るシステム構成の概略構成の一例を示す図である。
【図８】実施形態に係るシステム構成の概略構成の一例を示す図である。
【図９】実施形態に係るシステム構成の概略構成の一例を示す図である。
【図１０】実施形態に係る各種サーバの連携の一例を示す図である。
【図１１Ａ】ScenePlayの機能一覧の一例を示す図である。
【図１１Ｂ】ScenePlayの機能一覧の一例を示す図である。
【図１１Ｃ】ScenePlayの機能一覧の一例を示す図である。
【発明を実施するための形態】
【０００８】
図１は、実施形態に係る情報処理システムの概略構成の一例を示す図である。図１に示すように、情報処理システムは、情報処理サーバ１０、番組処理装置Ａ、番組処理装置Ｂ１、ＳＮＳサーバ２０、及び通信端末Ｂ２により構成される。
【０００９】
例えば、情報処理サーバ１０は、１又は複数台のコンピュータにより構成することができ、制御部１１、記憶部１２、通信部１３を備える。番組処理装置Ａは、デジタルＴＶ又はデジタルレコーダ等であり、制御部Ａ１、記憶部Ａ２、通信部Ａ３、放送受信部Ａ４、情報出力部（例えばディスプレイ）Ａ５、情報入力部（例えばリモートコントローラからの信号を受信する受信部）Ａ６を備える。番組処理装置Ｂ１は、デジタルＴＶ又はデジタルレコーダ等であり、制御部Ｂ１１、記憶部Ｂ１２、通信部Ｂ１３、放送受信部Ｂ１４、情報出力部（例えばディスプレイ）Ｂ１５、情報入力部（例えばリモートコントローラからの信号を受信する受信部）Ｂ１６を備える。
【００１０】
ＳＮＳサーバ２０は、１又は複数台のコンピュータにより構成することができ、制御部２１、記憶部２２、通信部２３を備える。通信端末Ｂ２は、スマートフォン又はタブレット型パーソナルコンピュータ等であり、制御部Ｂ２１、記憶部Ｂ２２、通信部Ｂ２３、情報出力部（例えばディスプレイ）Ｂ２５、情報入力部（例えばディスプレイに対応付けられたタッチパネル）Ｂ２６を備える。
【００１１】
以下、図１及び図２を参照して、情報処理システムによる番組処理（番組記録処理及び番組再生処理等）について説明する。
【００１２】
説明を分かり易くするため、ユーザａが番組処理装置Ａを所有し、ユーザｂが番組処理装置Ｂ１及び通信端末Ｂ２を所有すると仮定する。
【００１３】
ユーザａが、番組処理装置Ａに対応するリモートコントローラ等を介して、番組処理に関する情報、例えば番組録画予約ＡＲを設定すると(ＳＴ１０１)、情報入力部Ａ６は番組録画予約ＡＲの設定を受け付け、記憶部Ａ２は番組録画予約ＡＲを登録し(ＳＴ１０２)、通信部Ａ３は情報処理サーバ１０に対して番組録画予約ＡＲをアップロード（送信）する(ＳＴ１０３)。例えば、記憶部Ａ２は、番組処理装置Ａの機器情報ＡＩＤ（識別情報）を記憶し、また、情報処理サーバ１０の位置情報を記憶し、通信部Ａ３は、この位置情報に基づき、情報処理サーバ１０に対して、番組録画予約ＡＲ及び機器情報ＡＩＤをアップロード（送信）する(ＳＴ１０３)。なお、通信部Ａ３は、設定された時間帯（定期的）に、情報処理サーバ１０に対して、番組録画予約ＡＲ及び機器情報ＡＩＤを送信する。或いは、通信部Ａ３は、番組録画予約ＡＲが登録されたタイミングで、情報処理サーバ１０に対して、番組録画予約ＡＲ及び機器情報ＡＩＤを送信する。また、制御部Ａ１及び放送受信部Ａ４は、番組録画予約ＡＲに基づき番組を録画する(ＳＴ１０４)。
【００１４】
情報処理サーバ１０の通信部１３は、番組録画予約ＡＲ及び機器情報ＡＩＤを受信し(ＳＴ２０１)、制御部１１は、機器情報ＡＩＤに基づき番組録画予約ＡＲを管理（登録）し(ＳＴ２０２)、例えば、記憶部１２の録画予約データベースに、機器情報ＡＩＤに対応付けられた番組録画予約ＡＲが登録される。即ち、情報処理サーバ１０は、番組処理装置Ａの予約として番組録画予約ＡＲを登録する。さらに、記憶部１２は、機器情報ＡＩＤに対応付けられた情報提供先の位置情報を記憶し、通信部１３は、この位置情報に基づき、機器情報ＡＩＤに対応付けられた情報提供先に対して、番組録画予約ＡＲを示す番組録画予約案内情報をアップロードする(ＳＴ２０３)。例えば、ユーザａが、番組処理装置Ａを介して、機器情報ＡＩＤと情報提供先とを対応付け、情報処理サーバ１０の記憶部１２が、機器情報ＡＩＤと情報提供先との対応付けを記憶する。例えば、情報提供先は、ＳＮＳサーバ２０の指定位置（ユーザａのサイト）である。番組録画予約案内情報は、番組録画予約ＡＲに含まれた番組タイトル、チャンネル番号、及び放送日時等の表示情報、及び番組録画予約ＡＲへのリンク情報（情報処理サーバ１０の番組録画予約ＡＲへのＵＲＬ）を含む。
【００１５】
ＳＮＳサーバ２０の通信部２３は、番組録画予約案内情報を受信し(ＳＴ３０１)、記憶部２３は、番組録画予約案内情報を登録し(ＳＴ３０２)、制御部２１は、指定位置に番組録画予約案内情報を投稿する(ＳＴ３０３)。
【００１６】
例えば、ユーザｂが、通信端末Ｂ２を介して、ユーザａのサイト（図３）を監視していると、番組録画予約案内情報が投稿されたことを知ることができ、通信端末Ｂ２の情報入力部Ｂ２６を介して、番組録画予約案内情報（番組タイトル、チャンネル番号、及び放送日時等）を見ることができ、番組録画予約案内情報（情報処理サーバ１０の番組録画予約ＡＲへのＵＲＬ）を選択することができる(ＳＴ４０１)。通信部Ｂ２３は、この選択に対応して、情報処理サーバ１０の番組録画予約ＡＲへのＵＲＬに基づき、情報処理サーバ１０へアクセス要求を送信し(ＳＴ４０２)、情報処理サーバ１０からログイン要求（認証要求）を受け取り、情報出力部Ｂ２５は、情報処理サーバ１０へログインするためのログイン画面（図４）を表示する(ＳＴ４０３)。
【００１７】
ユーザｂは、情報入力部Ｂ２６を介して、ログイン画面に対してログイン情報としてのユーザ名及びパスワード等（識別情報）を入力し、通信部Ｂ２３は、入力されたログイン情報を情報処理サーバ１０に対して送信し(ＳＴ４０４)、情報処理サーバ１０へのログイン許可に伴う録画予約完了を受け取る(ＳＴ４０７)。例えば、図６に示すように、録画予約完了を示す画面は、広告情報を含む。
【００１８】
情報処理サーバ１０の通信部１３は、通信端末Ｂ２から送信されるアクセス要求を受信し(ＳＴ２１１)、通信端末Ｂ２に対してログイン要求を送信し(ＳＴ２１２)、通信端末Ｂ２からログイン情報を受信する(ＳＴ２１３)。制御部１１は、ログイン許可(ＳＴ２１４)に対応して、ログイン情報に対応付けられた機器情報Ｂ１ＩＤ（識別情報）に基づき番組録画予約ＡＲを管理（登録）する(ＳＴ２１５)。これにより、例えば、記憶部１２の録画予約データベースに、機器情報Ｂ１ＩＤに対応付けられた番組録画予約ＡＲが登録される。即ち、情報処理サーバ１０は、番組処理装置Ｂ１の予約として番組録画予約ＡＲを登録する。例えば、ユーザｂが、番組処理装置Ｂ１を介して、ログイン情報と機器情報Ｂ１ＩＤとの対応付けを入力し、情報処理サーバ１０の記憶部１２が、ログイン情報と機器情報Ｂ１ＩＤとの対応付けを記憶しているものとする。
【００１９】
番組処理装置Ｂ１の通信部Ｂ１３は、情報処理サーバ１０にアクセスし、情報処理サーバ１０は、機器情報Ｂ１ＩＤに対応付けられた番組録画予約ＡＲを送信し(ＳＴ２１６)、通信部Ｂ１３は、番組録画予約ＡＲを受信する(ＳＴ５０１)。なお、通信部Ｂ１３は、設定された時間帯（定期的）に、情報処理サーバ１０に蓄積された情報を監視し、機器情報Ｂ１ＩＤに対応付けられた番組録画予約ＡＲを検出し、機器情報Ｂ１ＩＤに対応付けられた番組録画予約ＡＲを要求し、機器情報Ｂ１ＩＤに対応付けられた番組録画予約ＡＲを受信する(ＳＴ５０１)。番組処理装置Ｂ１の制御部Ｂ１１は、番組録画予約ＡＲを登録し(ＳＴ５０２)、制御部Ｂ１１及び放送受信部Ｂ１５は、番組録画予約ＡＲに基づき番組を録画する(ＳＴ５０３)。
【００２０】
ここで機器選択を可能にするケースについて補足する。上記説明では、番組録画予約ＡＲを自動的に番組処理装置Ｂ１へ登録するケースについて説明したが、通信部Ｂ２３が、入力されたログイン情報を情報処理サーバ１０に対して送信し(ＳＴ４０４)、情報処理サーバ１０へのログイン許可に伴う機器選択要求を受け取るようにしてもよい。例えば、図５に示すように、情報出力部Ｂ２５が、番組処理装置Ｂ１、Ｂ３、Ｂ４の選択画面を表示し(ＳＴ４０５)、例えば、番組処理装置Ｂ３の選択に対応して(ＳＴ４０６)、通信部Ｂ２３は、番組処理装置Ｂ３の選択を送信する。情報処理サーバ１０の通信部１３は、番組処理装置Ｂ３の選択を受信し、制御部１１は、機器情報Ｂ３ＩＤ（識別情報）に基づき番組録画予約ＡＲを管理（登録）する。例えば、記憶部１２の録画予約データベースに、機器情報Ｂ３ＩＤに対応付けられた番組録画予約ＡＲが登録される。これにより、機器情報Ｂ３ＩＤに対応付けられた番組録画予約ＡＲは、番組処理装置Ｂ３に登録される。
【００２１】
ここで広告情報について補足する。上記説明したように、録画予約完了を示す画面は、広告情報を含むことができる。情報処理サーバ１０の制御部１１は、ログイン情報に基づき、どのような広告情報を送信するか決定し、決定した広告情報を送信するように制御する。例えば、ログイン情報（又はログイン情報に対応付けられた機器情報Ｂ１ＩＤ）に基づき、ユーザを特定できるので、ユーザの嗜好に応じた広告情報を送信することができる。例えば、制御部１１は、機器情報Ｂ１ＩＤに基づき、番組処理装置Ｂにより処理された番組の履歴（予約履歴、記録履歴、再生履歴等）を検出することができ、これら番組のジャンルを検出することができ、この検出されたジャンルに対応する広告情報を送信することができる。これにより、例えば、番組処理装置Ｂが、過去にＳＦ映画を多く記録している場合に、新作のＳＦ映画の広告情報を表示することができる。
【００２２】
なお、上記説明では、番組処理に関する情報として、番組録画予約ＡＲのケースについて説明したが、番組処理に関する情報として、録画済み番組の番組再生情報（番組再生区間情報）でもよい。例えば、番組処理装置Ａの記憶部Ａ２は、番組再生情報を蓄積し、通信部Ａ３は、情報処理サーバ１０に対して、番組再生情報ＡＰ及び機器情報ＡＩＤを送信する。
【００２３】
情報処理サーバ１０の通信部１３は、番組再生情報ＡＰ及び機器情報ＡＩＤを受信し、制御部１１は、機器情報ＡＩＤに基づき番組再生情報ＡＰを管理（登録）し、例えば、記憶部１２の番組再生データベースに、機器情報ＡＩＤに対応付けられた番組再生情報ＡＰが登録される。即ち、情報処理サーバ１０は、番組処理装置Ａの再生情報として番組再生情報ＡＰを登録する。さらに、記憶部１２は、機器情報ＡＩＤに対応付けられた情報提供先の位置情報を記憶し、通信部１３は、機器情報ＡＩＤに対応付けられた情報提供先に対して、番組再生情報ＡＰを示す番組再生案内情報をアップロードする。番組再生案内情報は、番組再生情報ＡＰに含まれた番組タイトル、チャンネル番号、放送日時、再生区間等の表示情報、及び番組再生情報ＡＰの位置情報（情報処理サーバ１０の番組再生情報ＡＰへのＵＲＬ）を含む。
【００２４】
ＳＮＳサーバ２０の通信部２３は、番組再生案内情報を受信し、記憶部２３は、番組再生案内情報を登録し、制御部２１は、指定位置に番組再生案内情報を投稿する。
【００２５】
例えば、ユーザｂが、通信端末Ｂ２を介して、ユーザａのサイトを監視していると、番組再生案内情報が投稿されたことを知ることができ、通信端末Ｂ２の情報入力部Ｂ２６を介して、番組再生案内情報（番組タイトル、チャンネル番号、放送日時、再生区間等）を見ることができ、番組再生案内情報（情報処理サーバ１０の番組再生情報ＡＰへのＵＲＬ）選択することができる。通信部Ｂ２３は、この選択に対応して、情報処理サーバ１０の番組再生情報ＡＰへのＵＲＬに基づき、情報処理サーバ１０へアクセス要求を送信し、情報処理サーバ１０からログイン要求（認証要求）を受け取り、情報出力部Ｂ２５は、情報処理サーバ１０へログインするためのログイン画面を表示する。
【００２６】
ユーザｂは、情報入力部Ｂ２６を介して、ログイン画面に対してログイン情報としてのユーザ名及びパスワード等（識別情報）を入力し、通信部Ｂ２３は、入力されたログイン情報を情報処理サーバ１０に対して送信し、情報処理サーバ１０へのログイン許可に伴う番組再生情報設定完了を受け取る。例えば、番組再生情報設定完了を示す画面は、広告情報を含む。
【００２７】
情報処理サーバ１０の通信部１３は、通信端末Ｂ２から送信されるアクセス要求を受信し、通信端末Ｂ２に対してログイン要求を送信し、通信端末Ｂ２からログイン情報を受信する。制御部１１は、ログイン許可に対応して、ログイン情報に対応付けられた機器情報Ｂ１ＩＤ（識別情報）に基づき番組再生情報ＡＰを管理（登録）する。例えば、記憶部１２の番組再生データベースに、機器情報Ｂ１ＩＤに対応付けられた番組再生情報ＡＰが登録される。即ち、情報処理サーバ１０は、番組処理装置Ｂ１の再生情報として番組再生情報ＡＰを登録する。
【００２８】
番組処理装置Ｂ１の通信部Ｂ１３は、情報処理サーバ１０にアクセスし、機器情報Ｂ１ＩＤに対応付けられた番組再生情報ＡＰを受信する。番組処理装置Ｂ１の制御部Ｂ１１は、番組再生情報ＡＰを登録する。ユーザｂは、番組処理装置Ｂに対応するリモートコントローラ等を介して、番組再生情報ＡＰを選択し、番組再生情報ＡＰに対応する番組（番組の一部区間）を再生することができる。例えば、番組処理装置Ｂが、番組再生情報ＡＰに対応する番組を記録している場合には、その記録されている番組を再生する。
【００２９】
本実施形態についてまとめる。
【００３０】
本実施形態の番組処理装置Ａは、ネットワークを介して、情報処理サーバ１０に対して番組録画予約ＡＲをアップロードする。情報処理サーバ１０は、番組録画予約ＡＲを受け取り、番組録画予約ＡＲを表すＵＲＬを生成し、このＵＲＬを特定のアカウントのＳＮＳサーバ（例えばツイッターのサーバ）のサイトへ投稿する。さらに情報処理サーバ１０は、投稿されたＵＲＬに従い、通信端末Ｂ２からのアクセスを受けて、認証処理を実行し、認証情報に対応付けられた番組処理装置Ｂの番組録画予約として番組録画予約ＡＲを管理し、番組処理装置Ｂへ番組録画予約ＡＲを送信する。これにより、番組処理装置Ｂは、番組録画予約ＡＲに基づき番組を録画する。
【００３１】
これにより、利用者は、通信端末を介して、ＳＮＳ上の録画予約情報のうち、気に入った録画予約情報を選択するだけで、予め登録した機器へ、選択した録画予約情報を設定することができる。利用者は、ＳＮＳが利用できる通信端末と環境があれば、通信端末等へソフトウェアを追加しなくても、簡単操作で予め登録した機器へ録画予約情報を設定することができる。また、この簡単操作は、屋外でも受け付けられる。
【００３２】
以下、番組の一部区間の再生を容易に実現する技術（Scenefo/SceneList/ScenePlay）について補足説明する。番組処理装置Ａが、以下説明する一部区間の再生（ScenePlay）を実行すると、この一部区間の再生に対応する番組再生情報が情報処理サーバへアップロードされる。
【００３３】
図７〜図９は、実施形態に係るシステム構成の概略構成の一例を示す図である。実施形態に係るシステムは、各種サーバ（タグリストサーバＳ１１、メタデータ作成サーバＳ２、通販サイトサーバＳ３）とクライアント端末（例えばＤＴＶ）１により構成され、さらに、モバイル端末（タブレットPC、スマートフォンなど）を利用することができる。各種サーバが上記説明した情報処理サーバ１０に対応し、クライアント端末が上記説明した番組処理装置Ａに対応する。なお、本実施形態では、システム構成の一つに、クライアント端末としてＤＴＶ（Digital TV）を適用するケースについて説明するが、ＤＴＶに限定されるものではない。ユーザインターフェース、通信機能、コンテンツ処理機能、コンテンツ出力機能、及び記憶機能等を備えたデバイスであればどのようなデバイスであってもよい。そのデバイスの一例として、デジタルレコーダ等が挙げられる。
【００３４】
以下、ＤＴＶに搭載されるタイムクラウド機能である“Scenefo/SceneList/ScenePlay”アプリケーションについて説明する。Scenefoは、シーン情報を意味する。SceneListは、シーン情報を集めたリストを意味する。ScenePlayは、シーン情報を利用した再生を意味する。
【００３５】
タイムクラウドはメタデータ作成会社、ユーザ、又はbotなどによって作成されたタグ又はシーン情報と映像コンテンツを結びつけるサービスであり、以下の3つの機能から構成される。
【００３６】
<Scenefo>
図７に示すように、Scenefoは、再生中の気になるシーンのシーン情報を提供する機能。ここで利用するタグリスト（登録商標）は、例えば、メタデータ作成会社が提供する企業作成タグリスト。なお、ユーザが作成したユーザ作成タグリストを利用してもよい。
【００３７】
図７に示すように、本システムによれば、以下の処理を経て以下のサービスを提供することができる。
【００３８】
０．タグリスト登録
１．コンテンツ再生
２．Scenefo起動
３．企業作成タグリストの送受信
４．商品提示（表示）
５．商品選択（入力操作）
６．商品ページの提供（表示）
<SceneList>
図８に示すように、SceneListは、再生中に視聴したいシーンだけを選択視聴する機能。ユーザ作成タグリスト、タグbotタグリスト、メタデータ作成会社が提供する企業作成タグリストなど、様々なタグリストの中から利用したいタグリストから視聴したいシーンを選んで視聴する。
【００３９】
０．タグリスト登録
１．コンテンツ再生
２．SceneList起動
３．タグリスト一覧の送受信
４．タグリスト選択（入力操作）
５．タグリストの送受信
６．タグジャンプ
<ScenePlay>
図９に示すように、ScenePlayは、再生可能な映像コンテンツの多数のシーン情報からユーザが興味のあるシーンを探して視聴する機能。おすすめシーンから気になるシーンを発見し、そのまま気になるシーンを選んで視聴する。利用できるタグリストはユーザ作成タグリストやタグbotタグリスト、メタデータ作成会社が提供する企業作成タグリストなど、様々なタグリストが対象となる。
【００４０】
０．タグリスト登録
１．ScenePlay起動
２．レコメンド処理
３．タグ一覧の送受信
４．タグ選択（入力操作）
５．タグ位置からコンテンツ再生
以下、タイムクラウドのレコメンド仕様の一例を示す。
【００４１】
<おすすめシーン>
・イチオシシーン
視聴ログから高視聴率な時間帯を算出し、対応するデータのシーンを高視聴率シーンとする。そのうちユーザが録画している番組のシーンをおすすめする。
【００４２】
・人気シーン
タイムクラウドでのタグジャンプのログからタグジャンプの多かったタグ・シーンを算出し、そのうちユーザが録画している番組のシーン・タグをおすすめする。
【００４３】
・みんなの気になるシーン
タイムクラウド利用者が「お気に入り」に入れたシーン・タグから、お気に入り登録の多いシーン・タグを算出し、そのうちユーザが録画している番組のシーン・タグをおすすめする。
【００４４】
・Twitter盛り上がりシーン
放送局ハッシュタグに対するツイートから、ツイート数の多い時間帯を算出し、対応するメタデータ作成サーバで管理されたシーンを盛り上がりシーンとしておすすめする。
【００４５】
・フレンドおすすめシーン
フレンドが「フレンドにメッセージ送信」したシーンをおすすめする。
【００４６】
・ユーザおすすめシーンリスト
ユーザが自分の好きなタグ・シーンを集めて作成したシーンリストを提示する。
【００４７】
・フレンド視聴シーン
フレンドのタグジャンプのログからタグジャンプの多かったタグ・シーンを算出し、そのタグ・シーンをおすすめする。
【００４８】
・人気商品・店舗シーン
購入サイト（商品）へのジャンプ数を集計し、ジャンプ数の多い購入サイトをおすすめする。店舗サイト（店舗）へのジャンプ数を集計し、ジャンプ数の多い店舗サイトをおすすめする。
【００４９】
・あなたへのおすすめシーン
パーソナライズしたおすすめ。他ユーザのプロフィール・視聴シーンログから、ユーザの嗜好にあったシーンを算出する。そのうちユーザが録画している番組のシーンをおすすめする。
【００５０】
なお、上記の処理の手順は全てソフトウェア（シーン情報出力プログラム）によって実行することが可能である。このため、処理手順を実行するプログラム（アプリケーション）をクライアント端末又はモバイル端末へインストールして実行するだけで、上記処理を実現することができる。
【００５１】
例えば、クライアント端末又はモバイル端末は、上記プログラムをサーバからダウンロードし、ダウンロードしたプログラムを記憶し、プログラムのインストールを完了することができる。或いは、クライアント端末又はモバイル端末は、コンピュータ読み取り可能な記憶媒体から上記プログラムを読み取り、読み取ったプログラムを記憶し、プログラムのインストールを完了することができる。
【００５２】
以下、ＤＴＶのScenePlayによるシーン単位の再生について説明する。図１１Ａ、図１１Ｂ、図１１Ｃは、ScenePlayの機能一覧の一例を示す図である。
【００５３】
例えば、ＤＴＶは、コンテンツの記録処理に対応して、記録コンテンツの記録ログをサーバへ送信する。記録ログは、ＤＴＶの識別情報及び記録コンテンツの識別情報（番組名、番組放送日、チャンネル番号、ＩＤ等）を含む。サーバは、ＤＴＶの識別情報に対応付けて記録コンテンツの識別情報を管理する。これにより、サーバは、ＤＴＶにより記録された全てのコンテンツを管理することができる。つまり、ＤＴＶにより再生可能な状態の全てのコンテンツを管理することができる。例えば、図１０に示す履歴収集サーバＳ１３が、各ＤＴＶで再生可能な状態の全てのコンテンツを管理する。なお、上記説明では、ＤＴＶにより記録された全てのコンテンツを再生可能な状態のコンテンツとしてとして説明したが、ＤＴＶに接続されたレコーダにより記録された全てのコンテンツも再生可能な状態のコンテンツとして含めることができる。コンテンツの記録先は、ＤＴＶに内蔵された記憶媒体（例えばハードディスク）であってもよいし、ＤＴＶに外部接続された記憶媒体であってもよいし、レコーダに内蔵された記憶媒体であってもよいし、レコーダに外部接続された記憶媒体であってもよい。
【００５４】
サーバは、複数のコンテンツの夫々に含まれる複数のシーンに対応する複数のシーン情報を管理しており、サーバは、ＤＴＶで再生可能なコンテンツに対応するシーン情報をＤＴＶへ送信する。例えば、図１０に示すメタデータサーバＳ１１が、複数のシーン情報を管理し、シーン情報は識別情報（番組名、番組放送日、チャンネル番号、ＩＤ等）を含む。サーバは、ＤＴＶで再生可能な記録コンテンツの識別情報を管理しているので、このＤＴＶへ送信すべきシーン情報を検出することができ、ＤＴＶへ検出されたシーン情報を送信することができる。つまり、サーバは、ＤＴＶで再生可能な記録コンテンツの識別情報とシーン情報の識別情報とを比較し、例えば記録コンテンツの識別情報の少なくとも一部とシーン情報の識別情報の少なくとも一部とが一致する場合に、このシーン情報をＤＴＶへ送信する。
【００５５】
ＤＴＶは、サーバから１以上のコンテンツの１以上のシーンに対応する１以上のシーン情報を受信する。ここでは、ＤＴＶが、サーバから複数のコンテンツの夫々の複数のシーンに対応する複数のシーン情報を受信することを前提とする。
【００５６】
さらに、ＤＴＶは、サーバからの各種情報（以下説明する視聴率情報等）及び指定条件（キーワード等）のうちの少なくとも一方に基づき、複数のシーン情報の中から、お薦めの複数のシーン情報を検索し、検索したシーン情報を提示（表示）することができる。例えば、ＤＴＶは、カテゴリ別に、お薦めシーン情報を提示することができる（図１１Ｂ参照）。
【００５７】
例えば、ＤＴＶは、サーバからの検索急上昇ワード情報（検索人気キーワード情報）に基づき、イチオシシーンとして複数のシーン情報を提示することができる。例えば、ＤＴＶは、検索急上昇ワード情報に含まれた検索急上昇ワードトップ１０に対応する複数のシーン情報を提示することができる。つまり、検索急上昇ワードトップ１０を含む複数のシーン情報を提示することができる。ＤＴＶは、上記した検索急上昇ワードトップ１０に対応する複数のシーン情報のうちの選択されたシーン情報に対応する１シーン（例えば検索急上昇ワード第１位に対応する１シーン）を再生することもできるし、検索急上昇ワードトップ１０に対応する複数のシーン情報に対応する複数のシーン（例えば検索急上昇ワード第１位〜第１０位までの複数のシーン）を連続再生することもできる。
【００５８】
例えば、ＤＴＶは、サーバからの視聴率情報に基づき、イチオシシーンとして複数のシーン情報を提示することができる。例えば、ＤＴＶは、視聴率情報に含まれた視聴率トップ１０に対応する複数のシーン情報を提示することができる。視聴率情報は、複数のＤＴＶからの再生ログ等の集計結果に基づき生成され、視聴率第１位〜第１０位までのシーン情報のＩＤを含む。ＤＴＶは、上記した視聴率トップ１０に対応する複数のシーン情報のうちの選択されたシーン情報に対応する１シーン（例えば視聴率第１位に対応する１シーン）を再生することもできるし、視聴率トップ１０に対応する複数のシーン情報に対応する複数のシーン（例えば視聴率第１位〜第１０位までの複数のシーン）を連続再生することもできる。例えば、人気シーントップ３０に対応する複数のシーン情報を提示することもできる。
【００５９】
シーン情報が選択されると、ＤＴＶは、選択されたシーン情報に含まれた識別情報に基づき、コンテンツ中のシーンを検出し、検出したシーンを再生する。例えば、１週間以内に放送され記録されたコンテンツを対象として、対象としたコンテンツからシーンを検出することができる。複数のシーン情報が選択されると、ＤＴＶは、選択された複数のシーン情報に含まれた複数の識別情報に基づき、複数のコンテンツ中の複数のシーンを検出し、検出した複数のシーンを再生する。例えば、１週間以内に放送され記録されたコンテンツを対象として、対象としたコンテンツから複数のシーンを検出することができる。また、瞬間視聴率トップ３０に対応する複数のシーン情報を提示することもできる。
【００６０】
また、ＤＴＶは、サーバからの人気シーン情報（再生率が高いシーン情報）に基づき、人気シーンとして複数のシーン情報を提示することができる。例えば、ＤＴＶは、人気シーン情報に含まれた人気シーントップ１０に対応する複数のシーン情報を提示することができる。人気シーン情報は、複数のＤＴＶからの再生ログ等の集計結果に基づき生成され、人気シーン第１位〜第１０位までの人気シーン情報のＩＤを含む。ＤＴＶは、上記した人気シーントップ１０に対応する複数のシーン情報のうちの選択されたシーン情報に対応する１シーン（例えば人気シーン第１位に対応する１シーン）を再生することもできるし、人気シーントップ１０に対応する複数のシーン情報に対応する複数のシーン（例えば人気シーン第１位〜第１０位までの複数のシーン）を連続再生することもできる。例えば、人気シーントップ３０に対応する複数のシーン情報を提示することもできる。
【００６１】
シーン情報が選択されると、ＤＴＶは、選択されたシーン情報に含まれた識別情報に対応する、コンテンツ中のシーンを検出し、検出したシーンを再生する。複数のシーン情報が選択されると、ＤＴＶは、選択された複数のシーン情報に含まれた複数の識別情報に対応する、複数のコンテンツ中の複数のシーンを検出し、検出した複数のシーンを再生する。
【００６２】
また、ＤＴＶは、サーバからの人気サイト情報に基づき、人気サイト情報に関係するシーンとして複数のシーン情報を提示することができる。ＤＴＶは、人気サイト情報に含まれた人気サイトトップ１０に関係する複数のシーン情報を提示することができる。例えば、人気サイト情報は、サイトアクセス履歴等の集計結果に基づき生成され、人気サイト第１位〜第１０位までの人気サイト情報のＩＤを含む。ＤＴＶは、上記した人気サイトトップ１０に関係する複数のシーン情報のうちの選択されたシーン情報に対応する１シーン（例えば人気サイト第１位に対応する１シーン）を再生することもできるし、人気サイトトップ１０に関係する複数のシーン情報に対応する複数のシーン（例えば人気サイト第１位〜第１０位までの複数のシーン）を連続再生することもできる。
【００６３】
また、ＤＴＶは、フレンドのおすすめシーン情報を提示することもでき、提示されたシーン情報の中から選択されたシーン情報に対応するシーンを再生することもできる。
【００６４】
また、ＤＴＶは、今日のホットワードに対応するシーン情報を提示することもでき、提示されたシーン情報の中から選択されたシーン情報に対応するシーンを再生することもできる。
【００６５】
例えば、ＤＴＶは、サッカーのゴールシーンだけを集めて連続再生することもできる。
【００６６】
上記説明したＤＴＶのScenePlayについてまとめる。
【００６７】
ＤＴＶは、おすすめシーンの一覧を提示し、提示したおすすめシーンの一覧から選択されたシーンに基づき、ダイレクトに選択されたシーンを含む番組、又は選択されたシーンを特定して再生することができる。さらにおすすめシーンだけを繋いだ連続再生もできる。
【００６８】
詳細は、以下の通り。
【００６９】
・ＤＴＶは、おすすめをシーン単位で検索する。
【００７０】
・ＤＴＶは、おすすめシーン、おすすめ番組、お気に入り、シーン検索を一覧表示する。
【００７１】
・ＤＴＶは、代表的なおすすめSceneを複数提示する。
【００７２】
・ＤＴＶは、ユーザが視聴できる番組（録画コンテンツ）を対象として、シーンを検索する。
【００７３】
・ＤＴＶに上記を実現させるため、サーバは、各ＤＴＶからの録画／削除のログを記憶する。又は、ＤＴＶが、コンテンツの記録リストに基づき、サーバからシーン情報を検索するようにしてもよい。
【００７４】
・ＤＴＶに接続されたレコーダ等に記憶されたコンテンツについても、ＤＴＶで視聴可能コンテンツとするようにしてもよい。
【００７５】
・ＤＴＶは、お気に入りSceneだけは、再生できなくても、残す（商品の紹介などもいけるようにするため）。
【００７６】
・ＤＴＶは、Scene検索履歴の検索式の履歴を残す。又は、ＤＴＶは、お気に入り検索キーを登録する。
【００７７】
・ＤＴＶは、番組単位又はシーン単位の検索を選択できる。
【００７８】
・ＤＴＶは、おすすめシーンのカテゴリを複数提示する。例えば、以下の通り。
【００７９】
今日のイチオシ
人気シーン
売れ筋
フレンドおすすめ等
・ＤＴＶは、複数のシーンの連続再生時に、スキップの指示に対応して、現在のシーンの次のシーンを再生する、又は現在のシーンを含むコンテンツの次のコンテンツのシーンを再生する。
【００８０】
なお、上記の処理の手順は全てソフトウェア（シーン再生プログラム）によって実行することが可能である。このため、処理手順を実行するプログラム（アプリケーション）をクライアント端末又はモバイル端末へインストールして実行するだけで、上記処理を実現することができる。
【００８１】
例えば、クライアント端末又はモバイル端末は、上記プログラムをサーバからダウンロードし、ダウンロードしたプログラムを記憶し、プログラムのインストールを完了することができる。或いは、クライアント端末又はモバイル端末は、コンピュータ読み取り可能な記憶媒体から上記プログラムを読み取り、読み取ったプログラムを記憶し、プログラムのインストールを完了することができる。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１０…情報処理サーバ、Ａ…番組処理装置、Ｂ１…番組処理装置、２０…ＳＮＳサーバ、Ｂ２…通信端末
【図１】
2014150389.tif 000003
【図２】
2014150389.tif 000004
【図３】
2014150389.tif 000005
【図４】
2014150389.tif 000006
【図５】
2014150389.tif 000007
【図６】
2014150389.tif 000008
【図７】
2014150389.tif 000009
【図８】
2014150389.tif 000010
【図９】
2014150389.tif 000011
【図１０】
2014150389.tif 000012
【図１１Ａ】
2014150389.tif 000013
【図１１Ｂ】
2014150389.tif 000014
【図１１Ｃ】
2014150389.tif 000015